(57)【特許請求の範囲】
【請求項１】
第１の帯電粒子を含む第１の電気泳動粒子群を収容する複数の第１の収容部を有する第１の表示層と、前記第１の表示層の一方の面側に設けられ、前記第１の帯電粒子と同色かつ同極性の第２の帯電粒子を含む第２の電気泳動粒子群を収容する複数の第２の収容部を有する第２の表示層とを備える表示層を有し、
前記表示層の平面視にて、前記複数の第１の収容部のうちの少なくとも１つの前記第１の収容部と、前記複数の第２の収容部のうちの少なくとも１つの前記第２の収容部とが重なり合っている部分を有しており、
前記第１の収容部内の前記第１の帯電粒子の密度は、前記第２の収容部内の前記第２の帯電粒子の密度よりも高くなっていることを特徴とする表示シート。
【請求項２】
前記第１の帯電粒子の単位体積あたりの数は、前記第２の帯電粒子の単位体積あたりの数よりも多い請求項１に記載の表示シート。
【請求項３】
前記第１の帯電粒子の平均粒径は、前記第２の帯電粒子の平均粒径よりも大きい請求項１または２に記載の表示シート。
【請求項４】
前記第１の電気泳動粒子群は、前記第１の帯電粒子と色および極性が異なる第３の帯電粒子とを含み、
前記第２の電気泳動粒子群は、前記第３の帯電粒子と同色かつ同極性の第４の帯電粒子とを含んでいる請求項１ないし３のいずれか１項に記載の表示シート。
【請求項５】
所定の第１の収容部および当該第１の収容部と重なり合う前記第２の収容部に、前記表示層の厚さ方向の電界を印加したときに、前記第１の収容部に収容された前記第１の電気泳動粒子群の少なくとも一部と、前記第２の収容部に収容された前記第２の電気泳動粒子群の少なくとも一部とが、同様の挙動を示す請求項１ないし４のいずれか１項に記載の表示シート。
【請求項６】
前記第１の電気泳動粒子群は、前記第１の帯電粒子と色および極性が異なる第３の帯電粒子とを含み、
前記第２の電気泳動粒子群は、前記第３の帯電粒子と同色かつ同極性の第４の帯電粒子とを含み、
所定の第１の収容部および当該第１の収容部と重なり合う前記第２の収容部に、前記表示層の厚さ方向の電界が印加されると、前記第１の帯電粒子および前記第３の帯電粒子が共に前記表示層の一方の面側に向けて泳動し、前記第２の帯電粒子および前記第４の帯電粒子が共に前記表示層の他方の面側に向けて泳動する請求項５に記載の表示シート。
【請求項７】
前記第１の収容部の前記表示層の厚さ方向の平均最大長さと、前記第２の収容部の前記表示層の最大平均長さとは、異なっている請求項１ないし６のいずれか１項に記載の表示シート。
【請求項８】
前記表示層の前記第１の表示層側の面は、表示面となっており、
前記第１の収容部の前記表示層の厚さ方向の平均最大長さは、前記第２の収容部の前記表示層の最大平均長さよりも長い請求項７に記載の表示シート。
【請求項９】
前記表示層の前記第１の表示層側の面は、表示面となっており、
前記第１の収容部の前記表示層の厚さ方向の平均最大長さは、前記第２の収容部の前記表示層の最大平均長さよりも短い請求項７に記載の表示シート。
【請求項１０】
前記表示層の平面視にて、前記複数の第１の収容部の平均最大幅は、前記複数の第２の収容部の平均最大幅と等しい請求項１ないし９のいずれかに記載の表示シート。
【請求項１１】
前記表示層の平面視にて、互いに直交するｘ軸およびｙ軸を設定したとき、
少なくとも１つの前記第１の収容部と、当該第１の収容部と重なり合う部分を有する前記第２の収容部とは、前記ｘ軸および前記ｙ軸の少なくとも一方の軸方向にずれている請求項１０に記載の表示シート。
【請求項１２】
前記表示層の平面視にて、前記複数の第１の収容部および前記複数の第２の収容部のうちの一方の平均最大幅は、他方の平均最大幅より広い請求項１ないし１１のいずれかに記載の表示シート。
【請求項１３】
前記表示層の平面視にて、前記複数の第１の収容部の平均最大幅は、前記複数の第２の収容部の平均最大幅よりも狭い請求項１２に記載の表示シート。
【請求項１４】
前記第１の表示層と前記第２の表示層との間には、中間層が設けられている請求項１ないし１３のいずれかに記載の表示シート。
【請求項１５】
前記中間層は、シート状をなし、絶縁性を有する材料で構成されており、該中間層の厚さ方向には導電性を有し、面方向には絶縁性を有する請求項１４に記載の表示シート。
【請求項１６】
前記第１の収容部および前記第２の収容部のうちの少なくとも一方は、マイクロカプセルである請求項１ないし１５のいずれかに記載の表示シート。
【請求項１７】
前記第１の収容部および前記第２の収容部は、それぞれ、マイクロカプセルである請求項１６に記載の表示シート。
【請求項１８】
前記第１の収容部および前記第２の収容部のうちの一方は、前記マイクロカプセルであり、他方は、凹部を有する箱体と前記凹部の開口を覆う蓋体とを有するセルである請求項１ないし１６のいずれかに記載の表示シート。
【請求項１９】
前記第１の収容部が前記マイクロカプセルであり、前記第２の収容部が前記セルである請求項１８に記載の表示シート。
【請求項２０】
請求項１ないし１９のいずれかに記載の表示シートと、
前記表示層を介して対向配置された一対の電極とを有することを特徴とする表示装置。
【請求項２１】
前記一対の電極は、前記第２の表示層側に設けられ、前記表示層を包含するように配置された共通電極と、前記第１の表示層側に、前記表示シートに対して移動可能に設けられ、前記共通電極との間で前記表示層の一部の領域に電圧を印加することができる部分電極とを有している請求項２０に記載の表示装置。
【請求項２２】
前記共通電極は、前記表示シートに対して着脱可能である請求項２１に記載の表示装置。
【請求項２３】
請求項２０ないし２２のいずれかに記載の表示装置を備えることを特徴とする電子機器。
【発明の詳細な説明】
【技術分野】
【０００１】
本発明は、表示シート、表示装置および電子機器に関する。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、対向配置された一対の電極（共通電極および複数の画素電極）と、これらの間に設けられ、電気泳動粒子を分散させた分散液が充填された複数のマイクロカプセルを備えた表示層とを有する電気泳動表示装置（表示シート）が記載されている。この特許文献１の電気泳動表示装置は、一対の電極間に電圧を印加してマイクロカプセルに電界を作用させることにより、マイクロカプセル内で電気泳動粒子を泳動させ、表示面に表示される表示色の切り替えを行うよう構成されている。
【０００３】
しかしながら、特許文献１の電気泳動表示装置では、複数のマイクロカプセルが、表示層の厚さ方向に重なり合わないように設けられている。すなわち、表示層は、一層のマイクロカプセル層で構成されている。
このような構成の電気泳動表示装置では、表示面から表示層に入射した光のうち、隣り合うマイクロカプセルの境界部を通過する光は、電気泳動粒子にぶつかることなく（反射、吸収されることなく）表示層を通過する。そのため、表示層での入射光の反射率が低くなり、表示面に表示される画像の明るさを十分に明るくすることができないという問題がある。
【０００４】
また、このような構成の電気泳動表示装置では、表示層に含まれる複数のマイクロカプセルの粒径を揃えることが困難であるため、隣り合うマイクロカプセル間に空隙が形成されやすい。このような隙間が形成されてしまうと、表示面の前記隙間に対応する部位の色を変更することができなくなり、表示シートの表示コントラストが低下するという問題もある。さらに、このような隙間が形成されていると、前述した入射光の反射率がさらに低下するという問題も生じる。
【先行技術文献】
【特許文献】
【０００５】
【特許文献１】特開２００７−５８１５１号公報
【発明の概要】
【発明が解決しようとする課題】
【０００６】
本発明の目的は、表示面に表示される画像の明るさを高めることができるとともに、表示コントラストが向上する表示シート、表示装置および電子機器を提供することにある。
【課題を解決するための手段】
【０００７】
このような目的は、下記の本発明により達成される。
本発明の表示シートは、第１の帯電粒子を含む第１の電気泳動粒子群を収容する複数の第１の収容部を有する第１の表示層と、前記第１の表示層の一方の面側に設けられ、前記第１の帯電粒子と同色かつ同極性の第２の帯電粒子を含む第２の電気泳動粒子群を収容する複数の第２の収容部を有する第２の表示層とを備える表示層を有し、
前記表示層の平面視にて、前記複数の第１の収容部のうちの少なくとも１つの前記第１の収容部と、前記複数の第２の収容部のうちの少なくとも１つの前記第２の収容部とが重なり合っている部分を有しており、
前記第１の収容部内の前記第１の帯電粒子の密度は、前記第２の収容部内の前記第２の帯電粒子の密度よりも高くなっていることを特徴とする。
【０００８】
これにより、表示面から入射した入射光のうち、第１の表示層を通過した光を、第２の表示層に含まれる第２の収容部中の第２の電気泳動粒子により反射、吸収することができるため、表示面に表示される画像の明るさを高めることができるとともに、表示コントラストが向上する表示シートを提供することができる。特に、第２の表示層の第１の表示層と反対側に、表示シートを駆動するための駆動回路が設けられている場合には、前述した効果から、駆動回路への漏れ光が抑制され、回路素子の光リーク電流による誤動作を抑制することができる。
【０００９】
本発明の表示シートでは、前記第１の帯電粒子の単位体積あたりの数は、前記第２の帯電粒子の単位体積あたりの数よりも多いのが好ましい。
本発明の表示シートでは、前記第１の帯電粒子の平均粒径は、前記第２の帯電粒子の平均粒径よりも大きいのが好ましい。
本発明の表示シートでは、前記第１の電気泳動粒子群は、前記第１の帯電粒子と色および極性が異なる第３の帯電粒子とを含み、
前記第２の電気泳動粒子群は、前記第３の帯電粒子と同色かつ同極性の第４の帯電粒子とを含んでいるのが好ましい。
これにより、表示面に所望の画像を鮮明に表示することができる。
【００１０】
本発明の表示シートでは、所定の第１の収容部および当該第１の収容部と重なり合う前記第２の収容部に、前記表示層の厚さ方向の電界を印加したときに、前記第１の収容部に収容された前記第１の電気泳動粒子群の少なくとも一部と、前記第２の収容部に収容された前記第２の電気泳動粒子群の少なくとも一部とが、同様の挙動を示すことが好ましい。
これにより、表示面から入射した入射光のうち、第１の表示層を通過した光を、第２の表示層に含まれる第２の収容部中の第２の電気泳動粒子により反射、吸収することができるため、表示面に表示される画像の明るさを高めることができるとともに、表示コントラストが向上する。
【００１１】
本発明の表示シートでは、前記第１の電気泳動粒子群は、前記第１の帯電粒子と色および極性が異なる第３の帯電粒子とを含み、
前記第２の電気泳動粒子群は、前記第３の帯電粒子と同色かつ同極性の第４の帯電粒子とを含み、
所定の第１の収容部および当該第１の収容部と重なり合う前記第２の収容部に、前記表示層の厚さ方向の電界が印加されると、前記第１の帯電粒子および前記第３の帯電粒子が共に前記表示層の一方の面側に向けて泳動し、前記第２の帯電粒子および前記第４の帯電粒子が共に前記表示層の他方の面側に向けて泳動するのが好ましい。
これにより、表示面から入射した入射光のうち、第１の表示層を通過した光を、第２の表示層に含まれる第２の収容部中の第２の電気泳動粒子により反射、吸収することができるため、表示面に表示される画像の明るさを高めることができるとともに、表示コントラストが向上する。
本発明の表示シートでは、前記第１の収容部の前記表示層の厚さ方向の平均最大長さと、前記第２の収容部の前記表示層の最大平均長さとは、異なっているのが好ましい。
本発明の表示シートでは、前記表示層の前記第１の表示層側の面は、表示面となっており、
前記第１の収容部の前記表示層の厚さ方向の平均最大長さは、前記第２の収容部の前記表示層の最大平均長さよりも長いのが好ましい。
本発明の表示シートでは、前記表示層の前記第１の表示層側の面は、表示面となっており、
前記第１の収容部の前記表示層の厚さ方向の平均最大長さは、前記第２の収容部の前記表示層の最大平均長さよりも短いのが好ましい。
【００１２】
本発明の表示シートでは、前記表示層の平面視にて、前記複数の第１の収容部の平均最大幅は、前記複数の第２の収容部の平均最大幅と等しいことが好ましい。
これにより、表示シートの構成を簡易化することができる。
本発明の表示シートでは、前記表示層の平面視にて、互いに直交するｘ軸およびｙ軸を設定したとき、
少なくとも１つの前記第１の収容部と、当該第１の収容部と重なり合う部分を有する前記第２の収容部とは、前記ｘ軸および前記ｙ軸の少なくとも一方の軸方向にずれていることが好ましい。
これにより、より確実に、第１の表示層を通過した光を、第２の電気泳動粒子群により反射、吸収することができる。
【００１３】
本発明の表示シートでは、前記表示層の平面視にて、前記複数の第１の収容部および前記複数の第２の収容部のうちの、一方の平均最大幅は、他方の平均最大幅より広いことが好ましい。
これにより、比較的簡単に、第１の表示層の第１の収容部が設けられていない部位（隙間）に対応する位置に、第２の収容部を位置させることができる。
【００１４】
本発明の表示シートでは、前記表示層の平面視にて、前記複数の第１の収容部の平均最大幅は、前記複数の第２の収容部の平均最大幅よりも狭いことが好ましい。
これにより、第１の表示層の第１の収容部が設けられていない部位の総面積を少なくすることができるため、第１の表示層での入射光の遮蔽率を高めることができる。このように、第１の表示層での入射光の遮蔽率を高めることにより、表示面に、より鮮明な画像を表示することができる。
【００１５】
本発明の表示シートでは、前記第１の表示層と前記第２の表示層との間には、中間層が設けられていることが好ましい。
これにより、第１の表示層と第２の表示層とを区画することができ、例えば、第１の収容部が、第２の表示層中に入り込んできたり、反対に、第２の収容部が第１の表示層中に入り込んできたりするのを防止することができる。
【００１６】
本発明の表示シートでは、前記中間層は、シート状をなし、絶縁性を有する材料で構成されており、該中間層の厚さ方向には導電性を有し、面方向には絶縁性を有するのが好ましい。
これにより、第１の表示層および第２の表示層に、表示シートの厚さ方向の電界を印加する際に、中間層の面方向に電流が流れることを防止することができる。すなわち、中間層がリークパスを形成するのを防止することができ、表示面に、所望の画像を表示することができる。
【００１７】
本発明の表示シートでは、前記第１の収容部および前記第２の収容部のうちの少なくとも一方は、マイクロカプセルであることが好ましい。
これにより、表示シートの構成が簡単となる。
本発明の表示シートでは、前記第１の収容部および前記第２の収容部は、それぞれ、マイクロカプセルであることが好ましい。
これにより、表示シートの構成がより簡単となる。また、第１の表示層および第２の表示層にある程度の弾力を持たせることができ、これら第１、第２の表示層に加わる押圧力等の外力を効果的に緩和、吸収することができる。また、第１、第２の表示層を、柔軟性に優れたものとすることができ、可撓性を有する表示シートとすることができる。
【００１８】
本発明の表示シートでは、前記第１の収容部および前記第２の収容部のうちの一方は、前記マイクロカプセルであり、他方は、凹部を有する箱体と前記凹部の開口を覆う蓋体とを有するセルであることが好ましい。
このように、第１、第２の収容部のうちの一方をマイクロカプセル、他方をセルとすることにより、表示シートの機械的強度を確保しつつ、表示シートに加わる押圧力等の外力を効果的に緩和、吸収することができる。
【００１９】
本発明の表示シートでは、前記第１の収容部が前記マイクロカプセルであり、前記第２の収容部が前記セルであることが好ましい。
このように表示面側に位置する第１の収容部をマイクロカプセルとすることにより、表示面に加わる押圧力等の外力を効果的に緩和、吸収することができる。
【００２０】
本発明の表示装置は、本発明の表示シートと、
前記表示層を介して対向配置された一対の電極とを有することを特徴とする。
これにより、表示面に表示される画像の明るさを高めることができるとともに、表示コントラストが向上する表示装置を提供することができる。
【００２１】
本発明の表示装置では、前記一対の電極は、前記第２の表示層側に設けられ、前記表示層を包含するように配置された共通電極と、前記第１の表示層側に、前記表示シートに対して移動可能に設けられ、前記共通電極との間で前記表示層の一部の領域に電圧を印加することができる部分電極とを有していることが好ましい。
これにより、表示面の部分電極の軌道上に位置する部位のみの色を変えることができるため、部分電極を動かすことにより、紙に鉛筆で絵を描くように、表示面に画像を描くことができる。そのため、表示装置の操作性（使い勝手）が向上する。
【００２２】
本発明の表示装置では、前記共通電極は、前記表示シートに対して着脱可能であることが好ましい。
共通電極は、表示層に画像が表示された後は、不要である（特に役割がない）ため、このような共通電極を表示シートに対して着脱自在とすることにより、表示装置の利便性が向上する。
本発明の電子機器は、本発明の表示装置を備えることを特徴とする。
これにより、表示面に表示される画像の明るさを高めることができるとともに、表示コントラストが向上する電子機器を提供することができる。
【図面の簡単な説明】
【００２３】
【図１】本発明の表示装置の第１実施形態を模式的に示す斜視図である。
【図２】図１に示す表示装置が備える表示シートの断面図である。
【図３】図１に示す表示装置の作動を示す断面図である。
【図４】図１に示す表示装置の作動を示す断面図である。
【図５】図１に示す表示装置の作動を示す断面図である。
【図６】所望の画像が書き込まれた表示シートを示す図である。
【図７】表示シートに入射する光の進路を示す断面図である。
【図８】表示シートに入射する光の進路を示す断面図である。
【図９】第２実施形態にかかる本発明の表示装置が有する表示シートの断面図である。
【図１０】図９に示す表示シートの上面図である。
【図１１】表示シートに入射する光の進路を示す断面図である。
【図１２】表示シートに入射する光の進路を示す断面図である。
【図１３】表示シートに入射する光の進路を示す断面図である。
【図１４】表示シートに入射する光の進路を示す断面図である。
【図１５】第３実施形態にかかる本発明の表示装置が有する表示シートの断面図である。
【図１６】図１５に示す表示シートの上面図である。
【図１７】第４実施形態にかかる本発明の表示装置が有する表示シートの断面図である。
【図１８】第５実施形態にかかる本発明の表示装置の断面図である。
【図１９】第６実施形態にかかる本発明の表示装置が有する表示シートの断面図である。
【図２０】図１９に示す表示シートの上面図である。
【図２１】第７実施形態にかかる本発明の表示装置が有する表示シートの断面図である。
【図２２】本発明の電子機器を電子ペーパーに適用した場合の実施形態を示す斜視図である。
【図２３】本発明の電子機器をディスプレイに適用した場合の実施形態を示す図である。
【発明を実施するための形態】
【００２４】
以下、表示シート、表示装置および電子機器を添付図面に示す好適実施形態に基づいて詳細に説明する。
＜表示装置＞
≪第１実施形態≫
まず、本発明の表示シートを適用した表示装置（本発明の表示装置）の第１実施形態について説明する。
【００２５】
図１は、本発明の表示装置の第１実施形態を模式的に示す斜視図、図２は、図１に示す表示装置が備える表示シートの断面図、図３、図４および図５は、それぞれ、図１に示す表示装置の作動を示す断面図、図６は、所望の画像が書き込まれた表示シートを示す図、図７および図８は、それぞれ、表示シートに入射する光の進路を示す断面図である。なお、以下では、説明の都合上、図２〜図５、図７、図８中の上側を「上」、下側を「下」として説明を行う。また、図２に示すように互いに直交する３軸をｘ軸、ｙ軸およびｚ軸とし、ｘｙ平面が表示シートの表示面と一致し、ｚ軸が表示シートの表示面の法線に一致する（他の図についても同様である）。また、図３〜図５、図７および図８では、説明の便宜上、液相分散媒の図示を省略している（後述する図９、図１１〜図１５、図１７〜図１９についても同様である）。
【００２６】
図１に示す表示装置（電気泳動表示装置）１は、表示シート２と、書き込み装置８とを有している。このような表示装置１は、表示シート２に、書き込み装置８が有する書き込みペン８４で所望の文字や絵を描いて使用する装置である。表示装置１をこのような構成とすることにより、表示シート２をリライタブルペーパーとして用いることができるため、表示装置１の利便性が向上する。
【００２７】
以下、表示シート２および書き込み装置８の構成について、順次詳細に説明する。
−表示シート２−
表示シート２は、電気泳動粒子の電気泳動を利用して画像の表示を行う電気泳動表示シートである。
図２に示すように、表示シート２は、表示層３と、表示層３の両面に設けられた保護シート（保護フィルム）５１、５２とで構成されている。このような表示シート２では、保護シート５１の上面が表示面５１１を構成しており、表示面５１１を介して表示層３を視認することにより、所定の画像を認識することができるようになっている。
【００２８】
図２に示すように、表示層３は、第１の表示層３１と、第２の表示層３２と、これらの間に設けられた中間層３３とで構成されている。
第１の表示層３１は、複数の第１のマイクロカプセル（第１の収容部）３１１がバインダ３１２で固定（保持）されることにより構成されている。また、複数の第１のマイクロカプセル３１１は、保護シート５１と中間層３３との間に、縦横に並列するように単層で（厚さ方向に重なることなく１個ずつ）配設されている。
【００２９】
第２の表示層３２は、第１の表示層３１の下側（保護シート５２側）に設けられている。このような第２の表示層３２は、第１の表示層３１と同様の構成をなしている。すなわち、第２の表示層３２は、複数の第２のマイクロカプセル（第２の収容部）３２１がバインダ３２２で固定（保持）されることにより構成されている。また、複数の第２のマイクロカプセル３２１は、中間層３３と保護シート５２との間に、縦横に並列するように単層で（厚さ方向に重なることなく１個ずつ）配設されている。
【００３０】
このように、第１の収容部３１１および第２の収容部３２１を、ともにマイクロカプセルにより構成することにより、表示シート２の構成が簡単となる。また、第１の表示層３１および第２の表示層３２にある程度の弾力を持たせることができ、これら第１、第２の表示層３１、３２に加わる押圧力等の外力を効果的に緩和、吸収することができる。また、第１、第２の表示層３１、３２を、柔軟性に優れたものとすることができ、優れた可撓性を有する表示シート２とすることができる。
【００３１】
第１のマイクロカプセル３１１は、球状のカプセル本体（殻体）３１１ａを有しており、その内部（内部空間）には、電気泳動分散液が充填されている。これと同様に、第２のマイクロカプセル３２１も、球状のカプセル本体３２１ａを有しており、その内部（内部空間）には、電気泳動分散液が充填されている。このように、第１、第２のマイクロカプセル３１１、３２１を球形とすることにより、これらマイクロカプセルの耐圧性および耐ブリード性を優れたものとすることができる。したがって、後述するように、書き込みペン８４による表示面５１１の押圧によって第１、第２のマイクロカプセル３１１、３２１にある程度の外力（押圧力）が加わっても、第１、第２のマイクロカプセル３１１、３２１は、その外力を緩和、吸収することができ、第１、第２のマイクロカプセル３１１、３２１の破壊を防止することができる。
【００３２】
図２に示すように、本実施形態では、第１のマイクロカプセル３１１の平均粒径（ｘｙ平面視における第１のマイクロカプセル３１１の最大幅の平均）と、第２のマイクロカプセル３２１の平均粒径（ｘｙ平面視における第２のマイクロカプセル３２１の最大幅の平均）とがほぼ等しく設定されている。これにより、第１のマイクロカプセル３１１として用いるマイクロカプセルと、第２のマイクロカプセル３２１として用いるマイクロカプセルとを同じとすること、すなわち、所定の粒径を有するマイクロカプセルを、第１のマイクロカプセル３１１としても、第２のマイクロカプセル３２１としても用いることができるため、表示シート２の装置構成の簡易化を図ることができるとともに、表示シート２の製造工程の簡易を図ることができる。
【００３３】
また、図２に示すように、１つの第１のマイクロカプセル３１１と、そのカプセルの下方に位置する第２のマイクロカプセル３２１とは、互いに紙面左右方向（ｘ軸方向）または紙面奥ゆき（ｙ軸方向）方向にずれずに、表示シートの厚さ方向（ｚ軸方向）に重なっている。言い換えれば、表示面５１１の平面視にて、１つの第１のマイクロカプセル３１１が１つの第２のマイクロカプセル３２１を包含するように設けられている。
【００３４】
第１、第２のマイクロカプセル３１１、３２１の粒径（平均粒径）としては、特に限定されないが、解像度、隠蔽率などの観点から、１０μｍ以上２００μｍ以下程度であるのが好ましい。
カプセル本体３１１ａ、３２１ａの構成材料としては、特に限定されず、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、オレフィン系樹脂、ポリアミド、ポリエーテルのような各種樹脂材料が挙げられ、これらのうち１種または２種以上を組み合わせて用いることができる。
【００３５】
カプセル本体３１１ａ内に充填された電気泳動分散液は、正に帯電する正帯電粒子（第１の正帯電粒子）Ａ１と、負に帯電し、正帯電粒子Ａ１と色が異なる負帯電粒子（第１の負帯電粒子）Ｂ１とからなる第１の電気泳動粒子群を液相分散媒６１に分散（懸濁）してなるものである。一方、カプセル本体３２１ａ内に充填された電気泳動分散液は、正に帯電し、正帯電粒子Ａ１と同色の正帯電粒子（第２の正帯電粒子）Ａ２と、負に帯電し、負帯電粒子Ｂ１と同色の負帯電粒子（第２の負帯電粒子）Ｂ２とからなる第２の電気泳動粒子群を液相分散媒６２に分散（懸濁）してなるものである。
【００３６】
本実施形態では、正帯電粒子Ａ１、Ａ２は、互いに同様の構成をなし、負帯電粒子Ｂ１、Ｂ２も、互いに同様の構成をなしている。正帯電粒子Ａ１および負帯電粒子Ｂ１の液相分散媒６１への分散や、正帯電粒子Ａ２および負帯電粒子Ｂ２の液相分散媒６２への分散は、例えば、ペイントシェーカー法、ボールミル法、メディアミル法、超音波分散法、撹拌分散法等のうちの１種または２種以上を組み合わせて行うことができる。
【００３７】
液相分散媒６１、６２としては、例えば、ベンゼン系炭化水素などの芳香族炭化水素類、ｎ−ヘキサン、ｎ−デカンなどのパラフィン系炭化水素、アイソパー（Ｉｓｏｐａｒ、エクソン化学社製）などのイソパラフィン系炭化水素、１−オクテン、１−デセンなどのオレフィン系炭化水素、ナフテン系炭化水素などの脂肪族炭化水素類、ケロシン、石油エーテル、石油ベンジン、リグロイン、工業ガソリン、石油ナフサなどの石油や石油由来の炭化水素混合物、ジクロロメタン、クロロホルムなどのハロゲン化炭化水素類、ジメチルシリコーンオイル、メチルフェニルシリコーンオイルなどのシリコーンオイル類（有機シリコーンオイル類）、ハイドロフルオロエーテルなどのフッ素系溶剤（有機フッ素系溶剤）等が好ましく用いられる。また、これらの中でも、粘度の調整を容易に行うことができる点から、有機シリコーンオイル類がより好ましく用いられる。
【００３８】
正帯電粒子Ａ１、Ａ２は、白色をなし、正に帯電する電気泳動粒子である。また、負帯電粒子Ｂ１、Ｂ２は、黒色をなし、負に帯電する電気泳動粒子である。このように、第１、第２のマイクロカプセル３１１、３２１内に、それぞれ、白色と黒色の電気泳動粒子を収容することにより、表示シート２の白黒表示が可能となり、表示シート２の表示コントラストが向上する。
【００３９】
なお、本実施形態では、正帯電粒子Ａ１として白色の粒子を用い、負帯電粒子Ｂ１として黒色の粒子を用いているが、正帯電粒子Ａ１および負帯電粒子Ｂ１の色としては、互いに異なっていれば特に限定されず、それぞれ、例えば、赤色、青色、緑色などの有彩色や、金色、銀色等の金属光沢色から目的に合わせて適宜選択することができる。また、正帯電粒子Ａ１および負帯電粒子Ｂ１の色の組み合わせとしても、上記のものに限定されず、例えば、正帯電粒子Ａ１が黒色、負帯電粒子Ｂ１が白色である組み合わせや、正帯電粒子Ａ１が青色、負帯電粒子Ｂ１が赤色である組み合わせや、正帯電粒子Ａ１が金色、負帯電粒子Ｂ１が銀色である組み合わせであってもよい。正帯電粒子Ａ２および負帯電粒子Ｂ２についても、これと同様である。
【００４０】
以上のような正帯電粒子Ａ１、Ａ２および負帯電粒子Ｂ１、Ｂ２には、それぞれ、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
【００４１】
顔料粒子を構成する顔料としては、例えば、アニリンブラック、カーボンブラック、チタンブラック等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００４２】
このうち、顔料粒子としては、酸化チタン粒子が白色の粒子（本実施形態では正帯電粒子Ａ）として好適に用いられ、チタンブラック粒子が黒色の粒子（本実施形態では負帯電粒子Ｂ）として好適に用いられる。これらの粒子は、電界に対する応答性が高く、また、反射率の差が大きいことから、表示シート２の高コントラスト表示を可能にするものである。
【００４３】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができる。
【００４４】
また、正帯電粒子Ａ１、Ａ２および負帯電粒子Ｂ１、Ｂ２の形状は、それぞれ、特に限定されないが、球形状であるのが好ましい。
正帯電粒子Ａ１、Ａ２および負帯電粒子Ｂ１、Ｂ２は、それぞれ、液相分散媒６１、６２中での分散性を考慮した場合、より小さいものが好適に用いられ、具体的には、その平均粒径が、０．１μｍ以上１０μｍ以下程度であるのが好ましく、０．１μｍ以上７．５μｍ以下程度であるのがより好ましい。正帯電粒子Ａ１および負帯電粒子Ｂ１の平均粒径を前記範囲とすることにより、正帯電粒子Ａ１と負帯電粒子Ｂ１の凝集や、正帯電粒子Ａ１や負帯電粒子Ｂ１の沈降を防止することができ、正帯電粒子Ａ１および負帯電粒子Ｂ１を液相分散媒６１中に分散させた状態を維持することができる。これと同様に、正帯電粒子Ａ２および負帯電粒子Ｂ２の平均粒径を前記範囲とすることにより、正帯電粒子Ａ２と負帯電粒子Ｂ２の凝集や、正帯電粒子Ａ２や負帯電粒子Ｂ２の沈降を防止することができ、正帯電粒子Ａ２および負帯電粒子Ｂ２を液相分散媒６２中に分散させた状態を維持することができる。その結果、表示装置１（表示シート２）の表示品質の劣化を好適に防止することができる。
【００４５】
なお、本実施形態のように第１の電気泳動粒子群として、２種の異なる粒子（正帯電粒子Ａ１および負帯電粒子Ｂ１）を用いる場合、２種の粒子の平均粒径を異ならせること、特に、白色の正帯電粒子Ａ１の平均粒径を黒色の負帯電粒子Ｂ１の平均粒径より大きく設定するのが好ましい。第２の電気泳動粒子群（正帯電粒子Ａ２および負帯電粒子Ｂ２）についても、これと同様である。これにより、表示装置１の表示コントラストをより向上させることや、保持特性を向上させることができる。
【００４６】
また、正帯電粒子Ａ１および負帯電粒子Ｂ１の比重は、それぞれ、液相分散媒６１の比重とほぼ等しくなるように設定されているのが好ましい。これにより、正帯電粒子Ａ１および負帯電粒子Ｂ１は、後述する電界の作用を受けた後においても、液相分散媒６１中において一定の位置に長時間滞留することができる。同様に、正帯電粒子Ａ２および負帯電粒子Ｂ２の比重は、それぞれ、液相分散媒６２の比重とほぼ等しくなるように設定されているのが好ましい。これにより、正帯電粒子Ａ２および負帯電粒子Ｂ２は、後述する電界の作用を受けた後においても、液相分散媒６２中において一定の位置に長時間滞留することができる。
【００４７】
バインダ３１２は、例えば、保護シート５１、中間層３３を第１の表示層３１に接合する目的、保護シート５１および中間層３３間に、各第１のマイクロカプセル３１１を固定する目的等により供給される。同様に、バインダ３２２は、例えば、保護シート５２、中間層３３を第２の表示層３２に接合する目的、保護シート５２および中間層３３間に、各第２のマイクロカプセル３２１を固定する目的等により供給される。これにより、表示シート２の耐久性および信頼性をより向上させることができる。
【００４８】
このバインダ３１２には、保護シート５１、中間層３３およびカプセル本体３１１ａとの親和性（密着性）に優れ、かつ、絶縁性に優れる樹脂材料が好適に使用される。同様に、バインダ３２２には、保護シート５２、中間層３３およびカプセル本体３２１ａとの親和性（密着性）に優れ、かつ、絶縁性に優れる樹脂材料が好適に使用される。このようなバインダ３１２、３２２としては、例えば、ポリアクリロニトリル、ポリエチレン、ポリプロピレン、ポリエチレンテレフタレート、ポリカーボネート、ナイロン６６、ポリウレタン等のウレタン系樹脂、エポキシド、ポリイミド、ＡＢＳ樹脂、ポリ酢酸ビニル、ポリメタクリル酸メチル、ポリメタクリル酸エチル、ポリメタクリル酸ブチル、ポリメタクリル酸オクチル等のメタクリル酸エステル樹脂、塩化ビニル樹脂、セルロース系樹脂、シリコーン系樹脂、エチレン−酢酸ビニル共重合物等の各種樹脂材料が挙げられ、これらのうちの１種または２種以上を組み合わせて用いることができる。
【００４９】
第１の表示層３１と、第２の表示層３２との間に設けられている中間層３３は、シート状部材（フィルム状部材）で構成されている。このような中間層３３は、例えば、第１の表示層３１と第２の表示層を区画する機能を有している。このような機能を持つ中間層３３を設けることにより、第１のマイクロカプセル３１１が、第２の表示層３２中に侵入したり、反対に、第２のマイクロカプセル３２１が、第１の表示層３１中に侵入したりするのを防止することができる。
【００５０】
また、中間層３３は、表示面５１１から入射した光が、第２の表示層３２に侵入することができるように、光透過性を有するもの、すなわち、実質的に透明（無色透明、有色透明または半透明）とされる。
また、中間層３３は、中間層３３の厚さ方向（ｚ軸方向）には導電性を有し、面方向（ｘ軸方向、ｙ軸方向、ｘ軸とｙ軸の合成方向）には絶縁性を有するように構成されている。これにより、後述するように、表示層３の一部にｚ軸方向の電界を作用させた時に、電流をその厚さ方向に流すことができるとともに、面方向へ流れるのを防止または抑制することができる。そのため、表示シート２の平面視にて、表示層３のより狭い領域で、第１のマイクロカプセル３１１および第２のマイクロカプセル３２１の作動を制御することができる。その結果、解像度が高く、より細かで鮮明な画像を表示することが可能となり、表示装置の表示特性が向上する。
【００５１】
このような中間層３３は、高い絶縁性を有する構成材料で構成されている。このように、中間層３３を高い絶縁性（低い導電性）を有する構成材料で構成することにより、簡単に、前述したような特徴（すなわち、厚さ方向には導電性を有し、面方向には絶縁性を有する）を有する中間層３３を得ることができる。具体的には、中間層３３は、シート状をなしているため、その厚さが比較的薄い。そのため、中間層３３を高い絶縁性を有する材料で構成することにより、厚さ方向には導電性を有し、面方向には絶縁性を有する中間層３３を得ることができる。
【００５２】
中間層３３の厚さとしては、特に限定されず、中間層３３の導電率等によっても異なるが、０．１μｍ以上４０μｍ以下であるのが好ましい。これにより、機械的強度を保ちつつ、厚さ方向に導電性を有する中間層３３を得ることができる。
また、中間層３３の導電率（中間層３３の構成材料の誘電率）としては、特に限定されないが、バインダ３１２の導電率と等しいか、それ以下であるのが好ましい。具体的には、中間層３３の導電率としては、その厚さ方向に対して、１Ωｃｍ以上１ＧΩｃｍ以下であるのが好ましく、１ｋΩｃｍ以上１００ＭΩｃｍ以下であるのがより好ましい。このような数値範囲とすることにより、より確実に、厚さ方向には導電性を有し、面方向には絶縁性を有する中間層３３を得ることができる。
【００５３】
このような中間層３３の構成材料としては、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００５４】
以上説明した表示層３を介して対向配置された保護シート５１、５２は、それぞれ、絶縁性を有するシート状の部材で構成されている。このような一対の保護シート５１、５２は、表示層３を保護する機能を有している。なお、保護シート５１、５２は、必要に応じて省略することができる。
保護シート５１は、表示面５１１を構成するために光透過性を有するもの、すなわち、実質的に透明（無色透明、有色透明または半透明）とされる。これにより、表示面５１１側から、表示層３の状態、すなわち表示シート２に表示された画像（情報）を目視により認識することができる。
【００５５】
一方、保護シート５２については、保護シート５１のような光透過性の有無は問わない。保護シート５２が光透過性を有する場合には、保護シート５２の下面には、表示面５１１に表示された画像を白黒反転させた画像（ネガ画像）が表示されることとなる。
このような保護シート５１、５２は、それぞれ、可撓性を有するもの、硬質なもののいずれであってもよいが、可撓性を有するものであるのが好ましい。可撓性を有する保護シート５１、５２を用いることにより、可撓性を有する表示シート２を得ることができる。これにより、表示シート２の利便性が向上する。
【００５６】
保護シート５１、５２を可撓性を有するものとする場合、その構成材料としては、それぞれ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００５７】
−書き込み装置８−
書き込み装置８は、表示シート２に所望の画像（模様、色彩、文字、絵、またはこれらの組み合わせ等）を書き込む際に使用する装置である。表示シート２への画像の書き込みが完了した後は、書き込み装置８から表示シート２を取り外すことができる。
図１に示すように、書き込み装置８は、台座８１と、台座８１上に設けられたシート状（板状）の共通電極８２と、先端に部分電極８３が設けられた書き込みペン（入力具）８４と、共通電極８２および部分電極８３間に電圧を印加する電圧印加手段（電界発生手段）８５とを有している。
【００５８】
共通電極８２は、表示シート２を載置する載置部としても機能するものであり、表示シート２への画像の書き込みは、共通電極８２上に表示シート２を載置した状態で行われる。そのため、共通電極８２は、表示シート２を共通電極８２に載置した際に、表示シート２を包含することができるように形成されている。本実施形態の共通電極８２は、その平面視形状が表示シート２の平面視形状よりも若干サイズの大きい相似形をなしている。
【００５９】
前述したように、表示シート２への画像の書き込みを行う際には、表示シート２を共通電極８２上に載置し、書き込みが完了した後（すなわち、書き込み以外のとき）には、表示シート２を共通電極８２上から取り除かれることから、表示シート２と共通電極８２とは離間可能であり、また、表示シート２は、共通電極８２に対して着脱自在であると言える。共通電極８２は、表示シート２に書き込みを行うとき以外は、特段の役割を有していないため、共通電極８２を表示シート２に対して着脱自在とすることにより、表示シート２のコンパクト化、軽量化を図ることができ、表示装置１の利便性が向上する。
【００６０】
書き込みペン８４は、例えば、絶縁性を有するプラスチック材料で構成されていて、使用者が手に持って、表示シート２の表示面５１１をなぞるようにして使用するものである。このような書き込みペン８４の先端には、部分電極８３が設けられている。また、書き込みペン８４の先端側には、ボタン８４１が設けられており、このボタン８４１を操作することにより、電圧印加手段８５と部分電極８３との導通をＯＮ／ＯＦＦする。
【００６１】
部分電極８３は、書き込みペン８４に設けられていることから、表示シート２に対して移動可動であると言える。このように、ペン型の入力具の先端部に部分電極８３を設けることにより、紙に鉛筆で文字等を描くのと同様の感覚で、表示シート２の表示面５１１に所望の文字等を描くことができる。そのため、表示装置１の操作性（使い勝手）が向上する。
【００６２】
部分電極８３は、表示シート２の表示面５１１の面積よりも十分に小さい面積（平面視での面積）を有している。そのため、書き込み装置８によれば、共通電極８２と部分電極８３との間で、表示層３の一部の領域に電圧を印加することができ、後述するように、使用者の思いのままの画像を表示シート２に書き込む（描く）ことができる。
部分電極８３の面積（平面視での面積）としては、特に限定されず、目的に合わせて適宜設定することができる。部分電極８３の面積が小さいほど、細い線を描くことができるため、細かい画像を書き込むことができる。
【００６３】
共通電極８２および部分電極８３の構成材料としては、それぞれ、実質的に導電性を有するものであれば特に限定されず、例えば、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）等の導電性酸化物材料のような各種導電性材料が挙げられ、これらのうちの１種または２種以上を組み合わせて用いることができる。
【００６４】
−表示装置１（表示シート２）の作動−
次いで、図３および図４に基づいて、表示シート２の作動（表示色の切り替え）について説明する。なお、なお、以下では、最小単位画素を構成する１組の第１のマイクロカプセル３１１および第２のマイクロカプセル３２１について代表して説明し、その他のマイクロカプセル（画素単位）については、その説明を省略する。また、図３および図４は、それぞれ、表示シート２の保護シート５２を共通電極８２に向けて、表示シート２を台座８１（共通電極８２）に載置し、かつ、書き込みペン８４の先端に設けられた部分電極８３を表示シート２の表示面５１１に接触させた状態を示している。
【００６５】
（白色表示状態）
まず、表示面５１１に白色が表示される状態について説明する。
電圧印加手段８５により、一対の電極８２、８３間に、共通電極８２側が正電位、部分電極８３側が負電位となるような第１の電圧を印加し、共通電極８２側が正電位、部分電極８３側が負電位の電界を発生させる。この電界が第１のマイクロカプセル３１１に作用すると、その中の正帯電粒子Ａ１は、負電位となっている部分電極８３側に向けて泳動し、一方の負帯電粒子Ｂ１は、正電位となっている共通電極８２側に向けて泳動する。また、この電界が第２のマイクロカプセル３２１に作用すると、その中の正帯電粒子Ａ２は、正帯電粒子Ａ１と同様に部分電極８３側に向けて泳動し、一方の負帯電粒子Ｂ２は、負帯電粒子Ｂ１と同様に共通電極８２側に向けて泳動する。
【００６６】
このような正帯電粒子Ａ１、Ａ２、負帯電粒子Ｂ１、Ｂ２の泳動により、図３に示すように、第１のマイクロカプセル３１１において、正帯電粒子Ａ１が部分電極８３側に偏在するとともに、負帯電粒子Ｂ１が共通電極８２側に偏在し、第２のマイクロカプセル３２１において、正帯電粒子Ａ２が部分電極８３側に偏在するとともに、負帯電粒子Ｂ２が共通電極８２側に偏在することとなる。これにより、表示面５１１に白色が表示される白色表示状態となる。
【００６７】
（黒色表示状態）
次いで、表示面５１１に黒色が表示される状態について説明する。
電圧印加手段８５により、一対の電極８２、８３間に、共通電極８２側が負電位、部分電極８３側が正電位となるような第２の電圧を印加し、共通電極８２側が負電位、部分電極８３側が正電位の電界を発生させる。この電界が第１のマイクロカプセル３１１に作用すると、負帯電粒子Ｂ１は、正電位となっている部分電極８３側に向けて泳動し、一方の正帯電粒子Ａ１は、負電位となっている共通電極８２側に向けて泳動する。また、この電界が第２のマイクロカプセル３２１に作用すると、負帯電粒子Ｂ２は、負帯電粒子Ｂ１と同様に部分電極８３側に向けて泳動し、一方の正帯電粒子Ａ２は、正帯電粒子Ａ１と同様に共通電極８２側に向けて泳動する。
【００６８】
このような正帯電粒子Ａ１、Ａ２、負帯電粒子Ｂ１、Ｂ２の泳動により、図４に示すように、第１のマイクロカプセル３１１において、負帯電粒子Ｂ１が部分電極８３側に偏在するとともに、正帯電粒子Ａ１が共通電極８２側に偏在し、第２のマイクロカプセル３２１において、負帯電粒子Ｂ２が部分電極８３側に偏在するとともに、正帯電粒子Ａ２が共通電極８２側に偏在することとなる。これにより、表示面５１１に黒色が表示される黒色表示状態となる。
【００６９】
以上、白色表示状態および黒色表示状態について説明した。当該説明から明らかなように、電極８２、８３間に所定電圧を印加すると、正帯電粒子Ａ１、Ａ２が共に部分電極８３側（または共通電極８２側）に向けて泳動するとともに、負帯電粒子Ｂ１、Ｂ２が共に共通電極８２側（または部分電極８３側）に向けて泳動する。すなわち、第１の電気泳動粒子群と第２の電気泳動粒子群が同様の挙動を示すこととなる。
【００７０】
ここで、前記「同様の挙動」とは、正帯電粒子Ａ１が部分電極８３側に向けて泳動または泳動しようとすると、正帯電粒子Ａ２も部分電極８３側に向けて泳動または泳動しようとし、負帯電粒子Ｂ１が共通電極８２側に向けて泳動または泳動しようとすると、負帯電粒子Ｂ２も共通電極８２側に向けて泳動または泳動しようとすること、反対に、正帯電粒子Ａ１が共通電極８２側に向けて泳動または泳動しようとすると、正帯電粒子Ａ２も共通電極８２側に向けて泳動または泳動しようとし、負帯電粒子Ｂ１が部分電極８３側に向けて泳動または泳動しようとすると、負帯電粒子Ｂ２も部分電極８３側に向けて泳動または泳動しようとすることを意味する。したがって、正帯電粒子Ａ１、Ａ２の移動度（泳動速度）は、同じでも異なっていてもよいし、負帯電粒子Ｂ１、Ｂ２の移動度も、同じでも異なっていてもよい。
【００７１】
なお、前記「泳動しようとする」とは、例えば、後述する第３、６、７実施形態のように、第１のマイクロカプセル３１１の粒径が第２のマイクロカプセル３２１の粒径と異なる場合や、正帯電粒子Ａ１、Ａ２の移動度が異なる場合などでは、正帯電粒子Ａ１が泳動し終わりそれ以上の泳動が実質的にできない状況となっても、正帯電粒子Ａ２がまだ泳動の最中であるというような状況となったり、その反対に、正帯電粒子Ａ２が泳動し終わりそれ以上の泳動が実施的にできない状況となっても、正帯電粒子Ａ１がまだ泳動の最中であるというような状況となったりすることを考慮したものである。
【００７２】
また、前記「同様の挙動」は、正帯電粒子Ａ１、Ａ２（負帯電粒子Ｂ１、Ｂ２についても同様である。）が、表示層３の厚さ方向で見たときに同じ側に向けて泳動すれば、その泳動方向（厚さ方向に対する傾斜角度）が異なっていてもよいことも意味する。具体的には、例えば、正帯電粒子Ａ１は、表示層３の厚さ方向に沿って部分電極８３側に向けて泳動するが、正帯電粒子Ａ２は、表示層３の厚さ方向に対して９０°未満傾斜した方向に沿って部分電極８３側に向けて泳動するような状況や、正帯電粒子Ａ１、Ａ２が共に表示層３の厚さ方向に対して傾斜した方向に沿って部分電極８３側に向けて泳動するが、その傾斜角が互いに異なっている状況などを含むことを意味する。
【００７３】
このような場合を含むのは、次の理由による。
図５は、電極８２、８３に挟まれた第１のマイクロカプセル３１１（３１１’）および第２のマイクロカプセル３２１（３２１’）と、これらマイクロカプセルの周囲に位置に、電極８２、８３に挟まれていない第１のマイクロカプセル３１１（３１１”）および第２のマイクロカプセル３２１（３２１”）を図示している。
【００７４】
電極８２、８３間に、例えば、前記第１の電圧（部分電極８３が負電位、共通電極８２が正電位となる電圧）を印加すると、電界Ｅが発生する。部分電極８３は、共通電極８２に比べて面積（平面視での面積）が小さいため、電界Ｅは、部分電極８３から共通電極８２へ広がるように発生する。したがって、電極８２、８３に挟まれた第１のマイクロカプセル３１１’および第２のマイクロカプセル３２１’には、表示層３の厚さ方向とほぼ同じ方向の電界Ｅ’が作用するのに対して、第１のマイクロカプセル３１１”および第２のマイクロカプセル３２１”には、表示層３の厚さ方向に対して傾斜した電界Ｅ”が作用する。
【００７５】
電界Ｅ’が作用している第１、第２のマイクロカプセル３１１’、３２１’には、同じ方向（表示層３の厚さ方向）の電界が作用する。したがって、第１、第２のマイクロカプセル３１１’、３２１’では、正帯電粒子Ａ１、Ａ２が共に表示層３の厚さ方向に沿って部分電極８３側に向けて泳動し、負帯電粒子Ｂ１、Ｂ２が共に表示層３の厚さ方向に沿って共通電極８２側に向けて泳動する。すなわち、正帯電粒子Ａ１、Ａ２の泳動方向が互いに同じであり、負帯電粒子Ｂ１、Ｂ２の泳動方向も互いに同じである。
【００７６】
一方、電界Ｅ”が作用する第１、第２のマイクロカプセル３１１”、３２１”では、第１のマイクロカプセル３１１”の方が、その下側に位置する第２のマイクロカプセル３２１”よりも、表示層３の厚さ方向に対してより傾斜した方向の電界が作用する。そのため、第１、第２のマイクロカプセル３１１”、３２１”では、正帯電粒子Ａ１、Ａ２は、共に部分電極８３側に向けて泳動するが、その泳動方向（表示層３の厚さ方向からの傾斜角）が互いに異なっており、負帯電粒子Ｂ１、Ｂ２も、共に共通電極８２側に向けて泳動するが、その泳動方向が互いに異なっている。
このように、電界の向きに起因する正帯電粒子Ａ１、Ａ２（負帯電粒子Ｂ１、Ｂ２）の泳動方向の違いを考慮し、前記「同様の挙動」に、正帯電粒子Ａ１、Ａ２（負帯電粒子Ｂ１、Ｂ２）が、表示層３の厚さ方向で見たときに同じ側に向けて泳動すれば、その泳動方向（厚さ方向に対する傾斜角度）が異なっていてもよい場合を含むこととしている。
【００７７】
このような構成において、最小単位画素（１つの第１のマイクロカプセル３１１と、それに対応する第２のマイクロカプセル３２１との組）ごとに正帯電粒子Ａ１、Ａ２および負帯電粒子Ｂ１、Ｂ２の泳動を選択することによって、表示シート２の表示面５１１に、正帯電粒子Ａ１、Ａ２および負帯電粒子Ｂ１、Ｂ２による反射光に基づいて、所望の情報（画像）を表示することができる。
【００７８】
例えば、表示面５１１の全領域を前述した白色表示状態とし、一対の電極８２、８３間に前記第２の電圧を印加しながら、表示面５１１をなぞるようにして書き込みペン８４を移動させると、書き込みペン８４の軌道上に位置する最小単位画素が黒色表示状態に切り替わり、結果として、書き込みペン８４の軌道に対応した黒色の線が表示面５１１に描かれることとなる。これにより、例えば、図６に示すような画像を描くことができる。なお、前述したように、表示シート２の各第１のマイクロカプセル３１１では、電界の作用を受けた後においても、正帯電粒子Ａ１および負帯電粒子Ｂ１の状態を長期間維持することができるため（各第２のマイクロカプセル３２１についても同様）、上述のような画像の書き込みが可能となっている。
【００７９】
また、例えば、「Ｘ」、「Ｙ」等の２画以上の文字のように、表示面５１１の異なる位置から書き始める線や点が２以上存在する場合には、所定の線の終点から、次の線の始点に書き込みペン８４を移動させている間は、ボタン８４１を操作することにより電圧印加手段８５と部分電極８３の導通を解除しておくことが好ましい。これにより、表示シート２への不本意な書き込みを効果的に防止することができる。
【００８０】
ここで、第１のマイクロカプセル３１１に収容された第１の電気泳動粒子群と、第２のマイクロカプセル３２１に収容された第２の電気泳動粒子群は、それぞれ、白色の正帯電粒子と、黒色の負帯電粒子とを含んでいる。そのため、書き込み装置８によって、表示シート２の全域または局所領域に所定の電圧が印加された場合、第１の表示層３１の上面（表示面５１１側の面）と、第２の表示層３２の上面には、それぞれ同様の画像が表示されることとなる。その結果、表示面５１１には、より鮮明な画像が表示され、表示シート２の表示特性が向上する。
【００８１】
図７は、表示面５１１の少なくとも一部が白色表示状態となっている表示シート２の断面図である。同図に示すように、光Ｌが表示面５１１を介して表示層３に入射すると、光Ｌのうちの光Ｌ’は、第１の表示層３１に含まれる第１のマイクロカプセル３１１中の正帯電粒子Ａ１によって反射され、正帯電粒子Ａ１に反射されずに第１の表示層３１を通過した光Ｌ”は、第２の表示層３２に含まれる第２のマイクロカプセル３２１中の正帯電粒子Ａ２によって反射される。すなわち、入射光Ｌの殆ど全てを正帯電粒子Ａ１、Ａ２のいずれかによって反射することができる。
【００８２】
また、図８は、表示面５１１の少なくとも一部が黒色表示状態となっている表示シート２の断面図である。同図に示すように、光Ｌが表示面５１１を介して表示層３に入射すると、光Ｌのうちの光Ｌ’は、第１の表示層３１に含まれる第１のマイクロカプセル３１１中の負帯電粒子Ｂ１によって吸収され、負帯電粒子Ｂ１に吸収されずに第１の表示層３１を通過した光Ｌ”は、第２の表示層３２に含まれる第２のマイクロカプセル３２１中の負帯電粒子Ｂ２によって吸収される。すなわち、入射光Ｌの殆ど全てを負帯電粒子Ｂ１、Ｂ２のいずれかによって吸収することができる。
そのため、このような表示シート２によれば、表示層３に入射した光を効率的に用いることができ、表示面５１１に表示される画像の明るさを上げることができるとともに、表示コントラストを高めることができる。
【００８３】
≪第２実施形態≫
次に、本発明の表示シートを適用した表示装置（本発明の表示装置）の第２実施形態について説明する。
図９は、第２実施形態にかかる本発明の表示装置が有する表示シートの断面図、図１０は、図９に示す表示シートの上面図、図１１ないし図１４は、それぞれ、表示シートに入射する光の進路を示す断面図である。なお、以下では、説明の都合上、図９、図１１〜図１４中の上側を「上」、下側を「下」として説明を行う。また、図９に示すように互いに直交する３軸をｘ軸、ｙ軸およびｚ軸とし、ｘｙ平面が表示シートの表示面と一致し、ｚ軸が表示シートの表示面の法線に一致する（他の図についても同様である）。
【００８４】
以下、第２実施形態にかかる表示装置について説明するが、前記第１実施形態との相違点を中心に説明し、同様の事項については、その説明を省略する。
本実施形態にかかる表示装置は、表示シート２が備える表示層３の構成が異なる以外は、前述した実施形態と同様の構成である。
図９および図１０に示すように、本実施形態の表示層３では、各第２のマイクロカプセル３２１を、その上方に位置する第１のマイクロカプセル３１１に対して、ｘ軸方向およびｙ軸方向に、それぞれずらして配置している。特に、本実施形態では、各第２のマイクロカプセル３２１を、その上方に位置する第１のマイクロカプセル３１１に対して、ｘ軸方向およびｙ軸方向に、それぞれ、第１のマイクロカプセル３１１（第２のマイクロカプセル３２１）の平均粒径の１／２だけずらして配置している。言い換えると、図１０に示すように、各第２のマイクロカプセル３２１は、表示シート２の平面視（ｘｙ平面視）にて、隣接し合う４つの第１のマイクロカプセル３１１により画成された隙間Ｓを埋めるように配置されている。
【００８５】
図１１および図１２は、それぞれ、表示面５１１の少なくとも一部が白色表示状態となっている表示シート２の断面図である。図１１に示すように、表示面５１１に対して傾斜した方向の光Ｌが、表示面５１１を介して表示層３に入射すると、光Ｌのうちの光Ｌ’は、第１の表示層３１に含まれる第１のマイクロカプセル３１１中の正帯電粒子Ａ１によって反射され、正帯電粒子Ａ１に反射されずに第１の表示層３１を通過した光Ｌ”は、第２の表示層３２に含まれる第２のマイクロカプセル３２１中の正帯電粒子Ａ２によって反射される。
【００８６】
さらに、図１２に示すように、表示面５１１に対して直交する方向の光Ｌが、表示面５１１を介して表示層３に入射すると、光Ｌのうちの光Ｌ’は、第１の表示層３１に含まれる第１のマイクロカプセル３１１中の正帯電粒子Ａ１によって反射され、正帯電粒子Ａ１に反射されずに第１の表示層３１を通過した光Ｌ”は、第２の表示層３２に含まれる第２のマイクロカプセル３２１中の正帯電粒子Ａ２によって反射される。
このように、本実施形態では、表示面５１１の白色表示状態となっている部位を介して表示層３に入射した光Ｌを、より多く、正帯電粒子Ａ１、Ａ２のいずれかによって反射することができる。
【００８７】
図１３および図１４は、それぞれ、表示面５１１の少なくとも一部が黒色表示状態となっている表示シート２の断面図である。図１３に示すように、表示面５１１に対して傾斜した方向の光Ｌが、表示面５１１を介して表示層３に入射すると、光Ｌのうちの光Ｌ’は、第１の表示層３１に含まれる第１のマイクロカプセル３１１中の負帯電粒子Ｂ１によって吸収され、負帯電粒子Ｂ１に吸収されずに第１の表示層３１を通過した光Ｌ”は、第２の表示層３２に含まれる第２のマイクロカプセル３２１中の負帯電粒子Ｂ２によって吸収される。
【００８８】
さらに、図１４に示すように、表示面５１１に対して直交する方向（ｚ軸方向）の光Ｌが、表示面５１１を介して表示層３に入射すると、光Ｌのうちの光Ｌ’は、第１の表示層３１に含まれる第１のマイクロカプセル３１１中の負帯電粒子Ｂ１によって吸収され、負帯電粒子Ｂ１に吸収されずに第１の表示層３１を通過した光Ｌ”は、第２の表示層３２に含まれる第２のマイクロカプセル３２１中の負帯電粒子Ｂ２によって吸収される。
【００８９】
このように、本実施形態では、表示面５１１の黒色表示状態となっている部位を介して表示層３に入射した光Ｌを、より多く、負帯電粒子Ｂ１、Ｂ２のいずれかによって吸収することができる。
そのため、このような表示シート２によれば、表示層３に入射した光を効率的に用いることができ、表示面５１１に表示される画像の明るさを上げることができるとともに、表示コントラストを高めることができる。
このような第２実施形態によっても、前述した実施形態と同様の効果を発揮することができる。
【００９０】
≪第３実施形態≫
次に、本発明の表示シートを適用した表示装置（本発明の表示装置）の第３実施形態について説明する。
図１５は、第３実施形態にかかる本発明の表示装置が有する表示シートの断面図、図１６は、図１５に示す表示シートの上面図である。
以下、第３実施形態にかかる表示装置について説明するが、前記第１実施形態との相違点を中心に説明し、同様の事項については、その説明を省略する。
本実施形態にかかる表示装置は、表示シート２が備える表示層３の構成が異なる以外は、前述した実施形態と同様の構成である。
【００９１】
図１５および図１６に示すように、表示層３では、第１のマイクロカプセル３１１の平均粒径が、第２のマイクロカプセル３２１の平均粒径よりも小さい。第１のマイクロカプセル３１１の平均粒径としては、特に限定されないが、第２のマイクロカプセル３２１の平均粒径の１／２以下であるのが好ましい。より具体的には、例えば、第１のマイクロカプセル３１１の平均粒径を１０μｍ以上６０μｍ以下程度とし、第２のマイクロカプセル３２１の平均粒径を６０μｍ以上１２０μｍ以下程度とするのが好ましい。
【００９２】
このように、第１のマイクロカプセル３１１の平均粒径を、第２のマイクロカプセル３２１の平均粒径よりも小さくすることにより、隣接し合う４つの第１のマイクロカプセル３１１により画成された隙間Ｓを小さくすることができるため、第１の表示層３１による光Ｌの遮蔽率が向上する。言い換えれば、表示面５１１を介して表示層３に入射した光Ｌのより多くを第１の表示層３１に含まれる第１のマイクロカプセル３１１中の正帯電粒子Ａ１にて反射または負帯電粒子Ｂ１にて吸収することができる。さらには、第１の表示層３１を通過した光Ｌ”を第２の表示層３２に含まれる第２のマイクロカプセル３２１中の正帯電粒子Ａ２にて反射または負帯電粒子Ｂ２にて吸収することができる。そのため、このような表示シート２によれば、表示層３に入射した光を効率的に用いることができ、表示面５１１に表示される画像の明るさを上げることができるとともに、表示コントラストを高めることができる。
【００９３】
また、表示面５１１側に第１の表示層３１が位置する構成の表示シート２では、第１の表示層３１に含まれる第１のマイクロカプセル３１１の粒径によって、その解像度（１画素あたりの大きさ）が変化する（第２のマイクロカプセル３２１の粒径は、解像度にほとんど影響を与えない）。すなわち、第１のマイクロカプセル３１１の粒径が小さいほど解像度が高くなり、第１のマイクロカプセル３１１の粒径が大きいほど解像度が低くなる。そのため、本実施形態のように、第１のマイクロカプセル３１１の平均粒径を、第２のマイクロカプセル３２１の平均粒径よりも小さくすることにより、上述した効果を発揮させることができるとともに、表示シート２の解像度を高めることができる。
【００９４】
また、第１のマイクロカプセル３１１の平均粒径を、第２のマイクロカプセル３２１の平均粒径よりも小さくすることにより、上記効果を発揮させつつ、表示層３の厚さを抑えることができる。これにより、電極８２、８３の離間距離を例えば第１実施形態と比べて短くすることができるため、駆動の省電力化（印加電圧の低電圧化）を図ることができる。
このような第３実施形態によっても、前述した実施形態と同様の効果を発揮することができる。
【００９５】
≪第４実施形態≫
次に、本発明の表示シートを適用した表示装置（本発明の表示装置）の第４実施形態について説明する。
図１７は、第４実施形態にかかる本発明の表示装置が有する表示シートの断面図である。なお、以下では、説明の都合上、図１７中の上側を「上」、下側を「下」として説明を行う。
【００９６】
以下、第４実施形態にかかる表示装置について説明するが、前記第１実施形態との相違点を中心に説明し、同様の事項については、その説明を省略する。
本実施形態にかかる表示装置は、表示シート２が備える表示層３の構成が異なる以外は、前述した実施形態と同様の構成である。
図１７に示すように、表示層３は、第１の表示層３１と、第２の表示層３２とを有している。これら層表示層のうち、第１の表示層３１は、前述した実施形態と同様に複数の第１のマイクロカプセル（第１の収容部）３１１を有している。一方、第２の表示層３２は、複数のセル（第２の収容部）３２３を有している。
【００９７】
複数のセル３２３は、上面に開口する複数の凹部３２４ａを有する箱体３２４と、各凹部３２４ａの開口を覆うように箱体３２４の上面に接合された蓋体３２５とで構成されている。そして、各セル３２３の内部空間に、第２の電気泳動粒子群（正帯電粒子Ａ２およぶ負帯電粒子Ｂ２）を液相分散媒６２に分散（懸濁）してなる電気泳動分散液が充填されている。なお、セル３２３の構成としては、これに限定されず、例えば、蓋体３２５を省略し、中間層３３を蓋体の代わりとすることができる。すなわち、中間層３３が蓋体３２５を兼ねていてもよい。
【００９８】
表示層３をこのような構成とすることにより、表示シート２の機械的強度を高めることができるとともに、表示面５１１に表示される画像の明るさおよび表示コントラストを高めることができる。
特に、本実施形態では、ある程度の弾力を有する第１のマイクロカプセル３１１を含む表示層を、表示面５１１側に位置する第１の表示層３１として用いているため、上述した効果に加えて、書き込みペン８４による押圧により表示面５１１に加わる外力を第１の表示層３１によって、効果的に吸収、緩和することができる。
このような第４実施形態によっても、前述した実施形態と同様の効果を発揮することができる。
【００９９】
≪第５実施形態≫
次に、本発明の表示シートを適用した表示装置（本発明の表示装置）の第５実施形態について説明する。
図１８は、第５実施形態にかかる本発明の表示装置の断面図である。なお、以下では、説明の都合上、図１８中の上側を「上」、下側を「下」として説明を行う。
【０１００】
以下、第５実施形態にかかる表示装置について説明するが、前記第１実施形態との相違点を中心に説明し、同様の事項については、その説明を省略する。
本実施形態にかかる表示装置１は、書き込み装置が省略され、表示シートに電極が設けられている以外は、第１実施形態の表示装置と同様である。なお、前述した第１実施形態と同様の構成には、同一符号を付してある。
【０１０１】
図１８に示すように、表示装置１は、表示層３と、表示層３の上面に設けられた共通電極８２と、共通電極８２の上面に設けられた保護シート５１と、表示層３の下面に設けられ、複数の部分電極８３を有する回路基板（バックプレーン）９とを有している。回路基板９は、例えば、各部分電極８３に対応するように設けられたＴＦＴ等のスイッチング素子を含む回路（図示せず）を有している。
【０１０２】
このような構成の表示装置１では、部分電極８３ごとに、共通電極８２との間に電圧を印加するか否かを選択することにより、各部分電極８３と共通電極８２との間に位置する第１のマイクロカプセル３１１および第２のマイクロカプセル３２１中の電気泳動粒子（正帯電粒子Ａ１、Ａ２、負帯電粒子Ｂ１、Ｂ２）を泳動を制御し、表示面５１１に所望の情報（画像）を表示するように構成されている。
【０１０３】
また、本実施形態の表示装置１では、表示面５１１を介して表示層３に入射した光の殆どを、第１の表示層３１（正帯電粒子Ａ１、負帯電粒子Ｂ１）および第２の表示層３２（正帯電粒子Ａ２、負帯電粒子Ｂ２）にて反射、吸収することができるため、前記光が回路基板９に到達するのを防止することができる。そのため、本実施形態の表示装置１では、回路基板９に光が照射されることによる光リーク電流の発生を防止または抑制することができ、回路素子の誤動作を抑制することができる。
このような第５実施形態によっても、前述した実施形態と同様の効果を発揮することができる。
【０１０４】
≪第６実施形態≫
次に、本発明の表示シートを適用した表示装置（本発明の表示装置）の第６実施形態について説明する。
図１９は、第６実施形態にかかる本発明の表示装置が有する表示シートの断面図、図２０は、図１９に示す表示シートの上面図である。
以下、第６実施形態にかかる表示装置について説明するが、前記第１実施形態との相違点を中心に説明し、同様の事項については、その説明を省略する。
本実施形態にかかる表示装置は、表示シート２が備える表示層３の構成が異なる以外は、前述した実施形態と同様の構成である。
【０１０５】
図１９および図２０に示すように、本実施形態の表示層３では、第１のマイクロカプセル３１１の平均粒径が、第２のマイクロカプセル３２１の平均粒径よりも大きい。第１のマイクロカプセル３１１の平均粒径としては、特に限定されないが、第２のマイクロカプセル３２１の平均粒径の２倍以上であるのが好ましい。より具体的には、例えば、第１のマイクロカプセル３１１の平均粒径を６０μｍ以上１２０μｍ以下程度とし、第２のマイクロカプセル３２１の平均粒径を１０μｍ以上６０μｍ以下程度とするのが好ましい。
第１のマイクロカプセル３１１の平均粒径を、第２のマイクロカプセル３２１の平均粒径よりも大きくすることにより、次のような効果が得られる。
【０１０６】
（第１の効果）
仮に、第１のマイクロカプセル３１１の粒径が小さいと、前述した白色表示状態のときに、表示面５１１側に偏在する正帯電粒子Ａ１の隙間などから負帯電粒子Ｂ１が透けるおそれがある。これは、第１のマイクロカプセル３１１に収容可能な正帯電粒子Ａ１の数が減少すること、白色表示状態での正帯電粒子Ａ１および負帯電粒子Ｂ１の離間距離が短くなることによるものである。このように、負帯電粒子Ｂ１が透けてしまうと、白色の明るさが低下し、コントラストが低下する。
【０１０７】
そのため、本実施形態のように、第１のマイクロカプセル３１１の平均粒径を比較的大きく保つ（第２のマイクロカプセル３２１の平均粒径よりも大きくする）ことにより、第１のマイクロカプセル３１１に収容可能な正帯電粒子Ａ１の数を多くすることができるとともに、白色表示状態での正帯電粒子Ａ１および負帯電粒子Ｂ１の離間距離を比較的長くすることができ、上述のような問題、すなわち白色表示状態のときに負帯電粒子Ｂ１が透けてしまうのを効果的に防止または抑制することができ、高いコントラストを発揮することができる。
【０１０８】
一方、第２のマイクロカプセル３２１の平均粒径は、第１のマイクロカプセル３１１の平均粒径よりも小さいため、例えば隣接し合う４つの第２のマイクロカプセル３２１により画成された隙間Ｓがより小さくなり、第２の表示層３２の光の遮蔽率が向上する。したがって、第１の表示層３１を透過し、第２の表示層３２に入射した光を、効率よく、反射または吸収することができ、特に白色表示状態のときには、より明るい白色を表示することができる。
【０１０９】
ここで、このような効果をより顕著なものとするために、例えば、次のような構成としてもよい。すなわち、第１のマイクロカプセル３１１に収容された正帯電粒子Ａ１の単位体積当たりの数（密度）を、第２のマイクロカプセル３２１に収容された正帯電粒子Ａ２の単位体積当たりの数（密度）よりも高くすることが好ましく、具体的には、１．１倍以上とすることが好ましい。
これにより、第１のマイクロカプセル３１１では、白色表示状態のときに、より負帯電粒子Ｂ１が透けにくくなる。
【０１１０】
一方の第２のマイクロカプセル３２１では、正帯電粒子Ａ２の密度を低くした分だけ、各粒子が他の粒子にぶつかる確率が低くなり、正帯電粒子Ａ２および負帯電粒子Ｂ２が泳動し易くなる。そのため、白色表示状態では、正帯電粒子Ａ２を、より確実に、第２のマイクロカプセル３２１内の表示面５１１側に偏在させることができ、第２の表示層３２に入射した光を効率よく反射することができる。
【０１１１】
このように、第１のマイクロカプセル３１１に収容された正帯電粒子Ａ１の密度を、第２のマイクロカプセル３２１に収容された正帯電粒子Ａ２の密度よりも高くすることにより、より高いコントラストを発揮することができる。
なお、上記では、正帯電粒子Ａ１、Ａ２の数を調節することにより、正帯電粒子Ａ１の密度と、正帯電粒子Ａ２の密度とを制御しているが、当該密度の制御の方法としては、これに限定されない。
【０１１２】
例えば、第１のマイクロカプセル３１１に収容された正帯電粒子Ａ１の数と、第２のマイクロカプセル３２１に収容された正帯電粒子Ａ２の数とをほぼ等しくし、その代りに、正帯電粒子Ａ１の平均粒径を正帯電粒子Ａ２の平均粒径よりも大きくすることによって、第１のマイクロカプセル３１１に収容された正帯電粒子Ａ１の密度を、第２のマイクロカプセル３２１に収容された正帯電粒子Ａ２の密度よりも高くしてもよい。さらには、正帯電粒子Ａ１、Ａ２で、単位体積当たりの粒子数および平均粒径をともに異ならせてもよい。
【０１１３】
ただし、これら方法の中でも、単位体積当たりの粒子を数を異ならせる方法が最も好ましい。この理由として、第１のマイクロカプセル３１１では、液相分散媒６１の誘電率と正帯電粒子Ａ１の誘電率との差が大きいほど、より明るい白色を表示することができるが、正帯電粒子Ａ１の平均粒径を大きくすると、液相分散媒６１の誘電率と正帯電粒子Ａ１の誘電率との差が小さくなってしまい、白色の明るさが低下するおそれがある。したがって、正帯電粒子Ａ１の平均粒径をなるべく小さく抑えるのがよい。このような理由から、単位体積当たりの粒子を数を異ならせる方法が最も好ましい。
【０１１４】
（第２の効果）
本実施形態の構成によれば、前述した第３実施形態と同様に、表示層３の厚さを抑えることができる。これにより、電極８２、８３の離間距離を例えば第１実施形態と比べて短くすることができるため、駆動の省電力化を図ることができる。
以上のように、本実施形態によれば、高いコントラストを発揮しつつ、省電力駆動を行うことができる。
このような第６実施形態によっても、前述した実施形態と同様の効果を発揮することができる。
【０１１５】
≪第７実施形態≫
次に、本発明の表示シートを適用した表示装置（本発明の表示装置）の第７実施形態について説明する。
図２１は、第７実施形態にかかる本発明の表示装置が有する表示シートの断面図である。
以下、第７実施形態にかかる表示装置について説明するが、前記第１実施形態との相違点を中心に説明し、同様の事項については、その説明を省略する。
本実施形態にかかる表示装置は、表示シート２が備える表示層３の構成が異なる以外は、前述した実施形態と同様の構成である。
【０１１６】
図２１に示すように、第１の表示層３１に含まれる複数の第１のマイクロカプセル３１１の粒径がそれぞれ異なっており、第２の表示層３２に含まれる複数の第２のマイクロカプセル３２１の粒径がそれぞれ異なっている。
第１のマイクロカプセル３１１は、その製造上、粒径にバラつきが生じやすく、ふるい等を用いて分級する。しかしながら、分級の精度にも限界があり、実際には、図２１のように、第１の表示層３１中には、異なる粒径の第１のマイクロカプセル３１１が含まれることとなる（第２の表示層３２についても同様である）。
このような第７実施形態によっても、前述した実施形態と同様の効果を発揮することができる。
【０１１７】
＜電子機器＞
以上説明したような表示装置１（特に、実施形態５にかかる表示装置）は、各種電子機器に組み込むことができる。表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【０１１８】
これらの電子機器のうちから、電子ペーパーを例に挙げ、具体的に説明する。
図２２は、本発明の電子機器を電子ペーパーに適用した場合の実施形態を示す斜視図である。
図２２に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置１で構成されている。
【０１１９】
次に、本発明の電子機器をディスプレイに適用した場合の実施形態について説明する。
図２３は、本発明の電子機器をディスプレイに適用した場合の実施形態を示す図である。このうち、図２３中（ａ）は断面図、（ｂ）は平面図である。
図２３に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図２２に示す構成と同様のものである。
【０１２０】
本体部８０１は、その側部（図２３中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【０１２１】
また、本体部８０１の表示面側（図２３（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【０１２２】
また、電子ペーパー６００の挿入方向先端部（図２３中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
【０１２３】
以上、図示の各実施形態に基づいて、本発明の表示シート、表示装置および電子機器を説明したが、本発明は、これらに限定されるものでない。例えば、本発明の表示シート、表示装置および電子機器では、各部の構成は、同様の機能を発揮する任意の構成のものに置換することができ、また、任意の構成を付加することもできる。また、各実施形態を適宜組み合わせることもできる。
【０１２４】
また、前述した実施形態では、表示層が、第１の表示層と、第２の表示層とを有する構成について説明したが、表示層の数としては、特に限定されず、さらに、第３の表示層、第４の表示層…第ｎの表示層（ただし、ｎは５以上の整数）を有していてもよい。
また、前述した実施形態では、白黒表示が可能な構成について説明したが、例えば表示層の表示面側の表面にファラーフィルターを設けることによって、カラー表示（好ましくはフルカーラー表示）が可能な構成とすることもできる。
【０１２５】
また、前述した実施形態では、正帯電粒子および負帯電粒子が、無電界状態で、マイクロカプセル中に分散している構成について説明したが、これに限定されない。例えば、正帯電粒子および負帯電粒子が、それぞれ、無電解状態でマイクロカプセル（カプセル本体）の内壁に接触しており、電界が作用した際には、マイクロカプセルの内壁に沿って移動するよう構成されていてもよい。
また、前述した実施形態では、マイクロカプセル中に、電気泳動分散液を収容した構成について説明したが、これに限定されず、例えば、マイクロカプセル中に、例えば、正に帯電した白色の粉体（粒子）と、負に帯電した黒色の粉体（粒子）とを飛散させた構成であってもよい。
【符号の説明】
【０１２６】
１……表示装置  ２……表示シート  ３……表示層  ３１……第１の表示層  ３１１、３１１’、３１１”……第１のマイクロカプセル  ３１１ａ……カプセル本体  ３１２……バインダ  ３２……第２の表示層  ３２１、３２１’、３２１”……第２のマイクロカプセル  ３２１ａ……カプセル本体  ３２２……バインダ  ３２３……セル  ３２４……箱体  ３２４ａ……凹部  ３２５……蓋体  ３３……中間層  ５１、５２……保護シート  ５１１……表示面  ６１、６２……液相分散媒  ８……書き込み装置  ８１……台座  ８２……共通電極  ８３……部分電極  ８４……書き込みペン  ８４１……ボタン  ８５……電圧印加手段  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部  ９……回路基板  Ａ１、Ａ２……正帯電粒子  Ｂ１、Ｂ２……負帯電粒子  Ｓ……隙間  Ｅ、Ｅ’、Ｅ”‥‥電界  Ｌ、Ｌ’、Ｌ”‥‥光
【図１】
0005516173.tif 000002
【図２】
0005516173.tif 000003
【図３】
0005516173.tif 000004
【図４】
0005516173.tif 000005
【図５】
0005516173.tif 000006
【図６】
0005516173.tif 000007
【図７】
0005516173.tif 000008
【図８】
0005516173.tif 000009
【図９】
0005516173.tif 000010
【図１０】
0005516173.tif 000011
【図１１】
0005516173.tif 000012
【図１２】
0005516173.tif 000013
【図１３】
0005516173.tif 000014
【図１４】
0005516173.tif 000015
【図１５】
0005516173.tif 000016
【図１６】
0005516173.tif 000017
【図１７】
0005516173.tif 000018
【図１８】
0005516173.tif 000019
【図１９】
0005516173.tif 000020
【図２０】
0005516173.tif 000021
【図２１】
0005516173.tif 000022
【図２２】
0005516173.tif 000023
【図２３】
0005516173.tif 000024